(57)【要約】【課題】  硬い面に載置した際に生じる音の低減、及びリサイクル時の分解効率の向上が可能な電気機器の提供。【解決手段】  偏平な直方体状の筐体は、上下方向に２つ割りされた形状の上半体２及び下半体３を組み合わせて構成され、操作ボタン５ａ，５ａ，…を上面に設けてある矩形状の弾性シート部材５と、接点４ａ，４ａ，…を上面に設けてある矩形状の回路基板４とを上下に配置した状態で収容している。弾性シート部材５は下面の４つの角部に脚部５ｂ，５ｂ，…が突設され、回路基板４は４つの角部に切欠部４ｂ，４ｂ，…が設けられている。下半体３の底板３ａは四隅近傍に孔３ｅ，３ｅ，…が設けられ、孔３ｅ，３ｅ，…に対応して上面に支持部３ｆ，３ｆ，…が突設されている。脚部５ｂ，５ｂ，…は、切欠部４ｂ，４ｂ，…の周縁及び支持部３ｆ，３ｆ，…に接した状態で孔３ｅ，３ｅ，…を通じて筐体の外部へ突出している。【選択図】        図２
2006140643.tif 000002
【特許請求の範囲】
【請求項１】
一面に接点を設けてある回路基板と、前記一面の側に前記回路基板を覆うように配置してあり、前記接点に対応して操作ボタンを突設してある弾性シート部材と、前記回路基板及び弾性シート部材を収容する筐体とを備える電気機器において、
前記弾性シート部材は、前記回路基板と対向する面の周縁側に脚部を突設してあり、
前記筐体は、前記脚部を挿通して外部へ突出させる孔を設けてある
ことを特徴とする電気機器。
【請求項２】
前記回路基板は、前記脚部との干渉を回避する切欠部又は孔を設けてあることを特徴とする請求項１に記載の電気機器。
【請求項３】
前記切欠部又は孔は、周縁が前記脚部に接していることを特徴とする請求項２に記載の電気機器。
【請求項４】
前記筐体は、内部に前記脚部を支える支持部を設けてあることを特徴とする請求項１乃至３のいずれかひとつに記載の電気機器。
【発明の詳細な説明】
【技術分野】
【０００１】
本発明は、弾性シート部材に突設した操作ボタンを備える電気機器に関する。
【背景技術】
【０００２】
従来のリモートコントロール装置（以下、リモコンという）は、ゴム製の弾性シート部材の一面に突設された操作ボタンを、プラスチック製の筐体の上面に設けられた開口部を通じて筐体の内部から外部へ突出するように配置した構造となっている（例えば、特許文献１，２参照）。このようなリモコンには、例えば机に載置した場合に、筐体の下面と載置面との間にゴミのような異物が挟まってがたつくことを防止するために、筐体の下面に突起部を設けて、筐体の下面が載置面から適宜の高さだけ保持されるようにしているものもある。このような突起部は、筐体に一体成型されたものと、適宜の大きさのゴムを貼り付けてなるものとがある。
【特許文献１】特開平８−３３１６７３号公報
【特許文献２】特開平１１−３１２４３１号公報
【発明の開示】
【発明が解決しようとする課題】
【０００３】
しかしながら、突起部が筐体に一体成型されている場合には、突起部は筐体と同素材のプラスチックであるため、机のような硬い面にリモコンを載置した際に音が生じることがある。一方、突起部がゴムを筐体に貼り付けてなる場合には、筐体に一体成型された場合と異なり、机のような硬い面にリモコンを載置した際に生じる音を低減できるものの、突起部は筐体と別素材であるため、リサイクルの際に突起部を別途取り外さなければならず、分解効率が悪い。
【０００４】
本発明は斯かる問題に鑑みてなされたものであり、その目的とするところは、弾性シート部材の回路基板と対向する面の周縁側に脚部を突設し、回路基板及び弾性シート部材を筐体に収容した状態で脚部を筐体に設けた孔から外部へ突出させた構造とすることにより、硬い面に載置した際に生じる音を低減できることに加え、リサイクルの際の分解効率を向上することができる電気機器を提供することにある。
【０００５】
また、本発明の他の目的は、回路基板に脚部との干渉を回避する切欠部又は孔を設けた構造とすることにより、筐体の小型化を図ることができる電気機器を提供することにある。
【０００６】
また、本発明の他の目的は、回路基板に設けた切欠部又は孔の周縁を脚部に接触させた構造とすることにより、回路基板の面方向における弾性シート部材のずれを防止することができる電気機器を提供することにある。
【０００７】
本発明の更に他の目的は、筐体の内部に脚部を支える支持部を設けた構造とすることにより、硬い面に載置した場合又は載置した状態で使用する場合に脚部が筐体の内部へ没入することを防止できる電気機器を提供することにある。
【課題を解決するための手段】
【０００８】
本発明に係る電気機器は、一面に接点を設けてある回路基板と、前記一面の側に前記回路基板を覆うように配置してあり、前記接点に対応して操作ボタンを突設してある弾性シート部材と、前記回路基板及び弾性シート部材を収容する筐体とを備える電気機器において、前記弾性シート部材は、前記回路基板と対向する面の周縁側に脚部を突設してあり、前記筐体は、前記脚部を挿通して外部へ突出させる孔を設けてあることを特徴とする。
【０００９】
本発明にあっては、弾性シート部材の回路基板と対向する面の周縁側に、操作ボタンの突設方向と相反する方向へ脚部を一又は複数突設してあり、脚部を筐体に設けた孔を通じて外部へ突出しているため、筐体から脚部が突出している側が筐体の底側、つまり本発明の電気機器の裏側となる。よって、本発明の電気機器を机のような硬い面に載置した場合には、載置面から受ける衝撃を脚部を介して弾性シート部材で吸収するので載置時に生じる音が低減する。
【００１０】
また、脚部は筐体に貼り付けてあるのではなく筐体に収容される弾性シート部材に突設してあるため、リサイクルの際に、筐体と弾性シート部材とを分離することで同時的に脚部も筐体から分離する。これにより、従来のリモコンのように筐体とは異なる材質からなる突起部を筐体に貼り付けて構成してある場合では不可欠な工程、すなわち突起部を筐体から別途取り外す工程が不要となる。
【００１１】
本発明に係る電気機器は上述の発明において、前記回路基板は、前記脚部との干渉を回避する切欠部又は孔を設けてあることを特徴とする。
【００１２】
本発明にあっては、回路基板に切欠部又は孔を設けてあるため、回路基板を覆うようにして配置される弾性シート部材を回路基板の面より大きく形成して、回路基板の外側、つまり回路基板の面外に位置するように脚部を弾性シート部材に突設する必要がなく、弾性シート部材は回路基板の切欠部又は孔に脚部を挿通した状態で回路基板に対向配置される。これにより、回路基板の面方向における筐体の寸法が小さくなる。
【００１３】
また、弾性シート部材の脚部には回路基板から無用な応力が作用することがない。更に、弾性シート部材は、脚部の位置を回路基板の切欠部又は孔の位置に合わせることにより、回路基板に対して容易に位置決めされる。
【００１４】
本発明に係る電気機器は上述の発明において、前記切欠部又は孔は、周縁が前記脚部に接していることを特徴とする。
【００１５】
本発明にあっては、脚部が挿通される回路基板の切欠部又は孔の周縁が脚部に接しているため、脚部は回路基板の切欠部又は孔に保持された状態となり、弾性シート部材が回路基板の面方向でずれない。
【００１６】
本発明に係る電気機器は上述の発明において、前記筐体は、内部に前記脚部を支える支持部を設けてあることを特徴とする。
【００１７】
本発明にあっては、筐体の内部に設けてある支持部が脚部を支える。これにより、本発明の電気機器を机のような硬い面に載置した場合又は載置した状態で使用する場合に、脚部は筐体の内部で湾曲せず、筐体の外部へ突出した状態が維持される。
【発明の効果】
【００１８】
本発明によれば、弾性シート部材に突設した脚部が筐体の孔を通じて外部へ突出しているため、本発明の電気機器を机のような硬い面に載置した際に生じる音を低減することができる。特に、弾性材を用いて脚部を構成してある場合には、本発明の電気機器を机のような硬い面に載置した際に、載置面から受ける衝撃を脚部が直接的に吸収するので載置に伴う音を格段に低減することができる。
【００１９】
しかも、脚部は筐体に収容される弾性シート部材に突設してあるため、リサイクルの際に、筐体と弾性シート部材とを分離することで同時的に脚部も筐体から分離できるので分解効率を向上することができる。特に、脚部を一体成型にて弾性シート部材に突設してある場合には、リサイクル時にあっては、弾性シート部材を筐体から分離した際に、弾性シート部材と脚部とが分離して脚部を筐体の孔に残すことなく確実に筐体から分離できるので分解効率を更に向上することが可能となり、製造時にあっては、脚部を弾性シート部材に別途設ける工程が不要となり、生産効率を向上することが可能となる。
【００２０】
また、本発明によれば、回路基板に切欠部又は孔を設けてあるため、弾性シート部材を回路基板の面よりも大きく形成する必要がなく、回路基板の切欠部又は孔に脚部を挿通した状態で弾性シートを回路基板に配置することができる。これにより、回路基板の面方向における筐体の寸法を小さくすることができ、筐体の小型化を図ることができる。しかも、回路基板に対する弾性シート部材の位置決めを容易に行うことができる。
【００２１】
また、本発明によれば、回路基板に設けた切欠部又は孔の周縁が脚部に接しているため、回路基板の面方向における弾性シート部材のずれを防止することができる。
【００２２】
更に、本発明によれば、筐体の内部に脚部を支える支持部を設けてあるため、本発明の電気機器を机のような硬い面に載置した場合又は載置した状態で使用する場合に、脚部が湾曲して筐体の内部へ没入することを防止できる。
【発明を実施するための最良の形態】
【００２３】
以下、本発明をリモコンに適用した場合の実施の形態について図面を用いて説明する。
（実施の形態１）
図１及び図２は本発明の実施の形態１に係るリモコンの構成例を示す外観斜視図及び分解斜視図、図３は図１のIII −III 線における断面図である。
【００２４】
図において、１は例えばＡＢＳ（Acrylonitrile Butadiene Styrene）樹脂からなる偏平な直方体状の筐体であり、筐体１は上下方向に２つ割りされた形状の上半体２及び下半体３を組み合わせて構成される。
【００２５】
上半体２は平面視形状が矩形状の天板２ａを有し、天板２ａの全周には上周壁２ｂが下方へ垂直に延設されている。上周壁２ｂの一方の短辺部の中央には、発光ダイオード４ｄによる赤外線照射用の半円状の切欠部が設けられている。該切欠部を除いた上周壁２ｂの下端の内縁側には内リブ２ｃが設けられ、内リブ２ｃの基部の外周側には凹部２ｄ，２ｄ，…が適宜の間隔で設けられている。天板２ａの略全体には、操作ボタン５ａ，５ａ，…を挿通するための孔２ｅ，２ｅ，…が設けられている。
【００２６】
下半体３は平面視形状が矩形状の底板３ａを有し、底板３ａの全周には下周壁３ｂが上方へ垂直に延設されている。下周壁３ｂの一方の短辺部の中央には、発光ダイオード４ｄによる赤外線照射用の半円状の切欠部が設けられている。該切欠部を除いた下周壁３ｂの上端の外縁側には外リブ３ｃが設けられ、外リブ３ｃの先端の内周側には、内リブ２ｃの凹部２ｄ，２ｄ，…と嵌合するための爪部３ｄ，３ｄ，…が設けられている。底板３ａの四隅近傍には、矩形柱状の４本の脚部５ｂ，５ｂ，…を１本ずつ挿通するための矩形状の孔３ｅ，３ｅ，…が１つずつ設けられている。孔３ｅ，３ｅ，…の長辺及び短辺はそれぞれ、底板３ａの長辺及び短辺と平行である。
【００２７】
筐体１は、内リブ２ｃの凹部２ｄ，２ｄ，…及び外リブ３ｃの爪部３ｄ，３ｄ，…をそれぞれ嵌合することにより、上周壁２ｂの下端の外縁側及び外リブ３ｃの上端の間に僅かに空隙を有し、内リブ２ｃの上端及び下周壁の上端の内縁側、並びに内リブ２ｃの外周及び外リブ３ｃの内周が接した状態に上半体２及び下半体３が嵌着されてなる。筐体１には、共に平面視形状が矩形状で略同寸法の弾性シート部材５及び回路基板４が上半体２側及び下半体３側にそれぞれ配置されて収容されている。
【００２８】
回路基板４の上面の略全体には接点４ａ，４ａ，…が設けられ、回路基板４の下面には、駆動部、及び下半体３の底板３ａに設けられた電池収容部３ｉに収容される電池の端子と接続するための接続端子等（図示せず）が設けられている。回路基板４の４つの角部には、脚部５ｂ，５ｂ，…を挿通するための矩形状の切欠部４ｂ，４ｂ，…が設けられている。切欠部４ｂ，４ｂ，…の長辺及び短辺はそれぞれ、回路基板４の長辺及び短辺と平行である。なお、回路基板４には、４つの角部に切欠部４ｂ，４ｂ，…を設けたが、これに限らず、四隅近傍に例えば矩形状の孔を、長辺及び短辺がそれぞれ回路基板４の長辺及び短辺と平行になるようにして設けてもよい。回路基板４における一方の短辺の端部の中央には、発光ダイオード４ｄが配置されている。
【００２９】
弾性シート部材５は、例えばシリコーンゴムからなり、回路基板４の上側に対向配置される。弾性シート部材５の上面には、回路基板４の接点４ａ，４ａ，…に対応して操作ボタン５ａ，５ａ，…が一体成型にて突設されている。操作ボタン５ａ，５ａ，…それぞれの下面には、押圧された場合に、対応する回路基板４の接点４ａ，４ａ，…と接触して各接点４ａ，４ａ，…が電気的に導通するための導電部（図示せず）が設けられている。弾性シート部材５の下面の４つの角部には、矩形柱状の脚部５ｂ，５ｂ，…が１本ずつ一体成型にて突設されている。脚部５ｂ，５ｂ，…の下端面の長辺及び短辺はそれぞれ、弾性シート部材５の長辺及び短辺と平行である。
【００３０】
上半体２の天板２ａの下面の略全体には、弾性シート部材５の上面を支えるための突起部２ｆ，２ｆ，…が、弾性シート部材５の上面に突設されている操作ボタン５ａ，５ａ，…との干渉を回避するような配置で一体成型にて突設されている。
【００３１】
下半体３の底板３ａの上面には、弾性シート部材５の脚部５ｂ，５ｂ，…を支えるための４つの矩形柱状の支持部３ｆ，３ｆ，…が一体成型にて突設されている。各支持部３ｆ，３ｆ，…は、上端面の長辺及び短辺がそれぞれ底板３ａの長辺及び短辺と平行であり、下周壁３ｂの長辺部と対向する側面が孔３ｅ，３ｅ，…の下周壁３ｂの長辺部と対向する周縁と面一になっている。
【００３２】
下半体３の底板３ａの下面には、凹状に窪ませて電池を収容するための電池収容部３ｉを設けてある。電池収容部３ｉは発光ダイオード４ｄの反対側に配置されている。電池収容部３ｉの底板３ａの上面側における上端面の周縁側には、回路基板４の前記接続端子を電池収容部３ｉの内部へ挿通するための２つの孔が対向配置にて設けられている。電池収容部３ｉの開口部には、蓋体（図示せず）が着脱自在に設けられている。
【００３３】
下半体３の底板３ａの上面には、孔３ｅ，３ｅ，…、支持部３ｆ，３ｆ，…及び電池収容部３ｉを除く領域の略全体に、回路基板４の下面を支えるための円筒状の突起部３ｊ，３ｊ，…が、回路基板４の下面に設けられている前記駆動部との干渉を回避するようにして適宜の配置間隔で一体成型にて突設されている。
【００３４】
上半体２及び下半体３を嵌着した状態では、弾性シート部材５の上面及び回路基板４の下面は、上半体２の突起部２ｆ，２ｆ，…と、下半体３の支持部３ｆ，３ｆ，…、電池収容部３ｉ及び突起部３ｊ，３ｊ，…とにより挟持されている。
【００３５】
筐体１の上面の略全体においては、弾性シート部材５の上面に突設された操作ボタン５ａ，５ａ，…が、上半体２の天板２ａに設けられた孔２ｅ，２ｅ，…を通じて筐体１の内部から外部へ突出している。
【００３６】
筐体１の下面の四隅近傍においては、弾性シート部材５の下面に突設された脚部５ｂ，５ｂ，…が、回路基板４に設けられた切欠部４ｂ，４ｂ，…と、下半体３の底板３ａに設けられた孔３ｅ，３ｅ，…とを通じて筐体１の内部から外部へ突出している。回路基板４の各切欠部４ｂ，４ｂ，…は、周縁が各脚部５ｂ，５ｂ，…に接している。下半体３の各支持部３ｆ，３ｆ，…は、各脚部５ｂ，５ｂ，…に接して各脚部５ｂ，５ｂ，…を支えている。
【００３７】
筐体１の一方の短辺側面の中央部においては、上周壁２ａに設けられた切欠部と、下周壁３ａに設けられた切欠部とにより上半体２及び下半体３が嵌着された状態で形成される円孔（図示せず）から発光ダイオード４ｄの頂点部が露出している。
【００３８】
回路基板４の下面に設けられた前記接続端子は、電池収容部３ｉの上端面に設けられた前記孔を通じて電池収容部３ｉの内周に対向配置されている。リモコンを作動するための電池（図示せず）は、前記蓋体を外して筐体１の下面側から電池収容部３ｉの内部へ挿入され、端子が電池収容部３ｉの内周に対向配置されている前記接続端子と接触する。
【００３９】
以上の如き構成のリモコンにあっては、リモコンを机のような硬い面に載置した場合には、脚部５ｂ，５ｂ，…はシリコーンゴムにて構成されているため、載置面から受ける衝撃を脚部５ｂ，５ｂ，…が直接的に吸収し、載置に伴う音が低減することに加え、脚部５ｂ，５ｂ，…と載置面との接触面に十分な静止摩擦力が作用してリモコンが載置面上で滑ることがない。また、脚部部５ｂ，５ｂ，…は支持部３ｆ，３ｆ，…にて支えられているため、筐体１の内部で湾曲することなく、筐体１から下方へ突出した状態を維持する。
【００４０】
また、リモコンを任意の方向に向けようとも、弾性シート部材５の上面及び回路基板４の下面が上半体２の突起部２ｆ，２ｆ，…と、下半体３の支持部３ｆ，３ｆ，…、電池収容部３ｉ及び突起部３ｊ，３ｊ，…とにより挟持されている他、切欠部４ｂ，４ｂ，…は、周縁が脚部５ｂ，５ｂ，…と接して脚部５ｂ，５ｂ，…を保持しているため、弾性シート部材５は回路基板４から浮き上がることがなく、回路基板４の面方向でずれることもない。
【００４１】
更に、リモコンをリサイクルする場合には、脚部５ｂ，５ｂ，…は、弾性シート部材５に一体成型されているため、弾性シート部材５が回路基板４から分離されたと同時に下半体３の孔３ｅ，３ｅ，…に残されることなく下半体３から確実に分離される。
【００４２】
（実施の形態２）
図４及び図５は本発明の実施の形態２に係るリモコンの構成例を示す外観斜視図及び分解斜視図、図６は図４のVI−VI線における断面図である。
【００４３】
図に示すように、下半体３の底板３ａの周縁側には、Ｕ字状の脚部５ｃを挿通するためのＵ字状の孔３ｇが、両長辺及び発光ダイオード４ｄによる赤外線照射方向と反対方向に位置する短辺の三辺に対応するようにして設けられている。回路基板４の周縁側には、脚部５ｃを挿通するためのＵ字状の孔４ｃが、両長辺及び発光ダイオード４ｄが配置されていない短辺の三辺に対応するようにして設けられている。弾性シート部材５は、回路基板４よりもやや小さく、下面の両長辺及び発光ダイオード４ｄによる赤外線照射方向と反対方向に位置する短辺の三辺の周縁に脚５ｃがＵ字状となるように一体成型にて突設されている。
【００４４】
下半体３の底板３ａの上面には、弾性シート部材５の脚部５ｃを支えるためのＵ字状の支持部３ｈが孔３ｇの内縁側に一体成型にて突設されている。支持部３ｈの外周は、孔３ｇの下周壁３ｂの両長辺部及び切欠部が設けられていない短辺部と対向する周縁と面一になっている。
【００４５】
上半体２及び下半体３を嵌着した状態では、弾性シート部材５の上面及び回路基板４の下面は、上半体２の突起部２ｆ，２ｆ，…と、下半体３の支持部３ｈ、電池収容部３ｉ及び突起部３ｊ，３ｊ，…とにより挟持されている。
【００４６】
筐体１の下面においては、弾性シート部材５の下面に突設された脚部５ｃが、回路基板４に設けられた孔４ｃと、下半体３の底板３ａに設けられた孔３ｇとを通じて筐体１の内部から外部へ突出している。回路基板４の孔４ｃは周縁が脚部５ｃに接している。下半体３の支持部３ｈは、脚部５ｃに接して脚部５ｃを支えている。
【００４７】
その他の構成については、作用も含め実施の形態１と同様であるので、対応する部分には同一の符号を付して説明を省略する。
【００４８】
なお、上述した実施の形態１，２においては、本発明をリモコンに適用したが、これに限らず、電卓又は電子辞書等、弾性シート部材に操作ボタンを突設してある構造を有するものであればいかなる形態の電気機器に適用してもよい。
【図面の簡単な説明】
【００４９】
【図１】本発明の実施の形態１に係るリモコンの構成例を示す外観斜視図である。
【図２】本発明の実施の形態１に係るリモコンの構成例を示す分解斜視図である。
【図３】図１のIII −III 線における断面図である。
【図４】本発明の実施の形態２に係るリモコンの構成例を示す外観斜視図である。
【図５】本発明の実施の形態２に係るリモコンの構成例を示す分解斜視図である。
【図６】図４のVI−VI線における断面図である。
【符号の説明】
【００５０】
１  筐体
２  上半体
３  下半体
３ｅ，３ｇ  孔
３ｆ，３ｈ  支持部
４  回路基板
４ａ  接点
４ｂ  切欠部
４ｃ  孔
５  弾性シート部材
５ａ  操作ボタン
５ｂ，５ｃ  脚部
【図１】
2006140643.tif 000003
【図２】
2006140643.tif 000004
【図３】
2006140643.tif 000005
【図４】
2006140643.tif 000006
【図５】
2006140643.tif 000007
【図６】
2006140643.tif 000008